(57)【要約】      （修正有）【課題】飲料の風味を損ねにくい飲料用サーバーを提供する。【解決手段】第１シール部材１１ｂで固定された飲料注出コック１１を含む収容本体１０と、収容本体に収容され、収容本体と連通する導管１１ｃを通す連通孔が形成される飲料用袋体２０と、を備え、飲料用袋体は、第１シール部材と導管１１ｃに通された第２シール部材１１ｄとの間に飲料用袋体の一部が挟み込まれ、脱着可能であることを特徴とする。飲料用袋体は、内部に含まれる空気を排出するための排気部２０ａを有する。【選択図】図２
0003225196.tif 000002
【実用新案登録請求の範囲】
【請求項１】
第１シール部材で固定された飲料注出コックを含む収容本体と、
前記収容本体に収容され、前記収容本体と連通する導管を通す連通孔が形成される飲料用袋体と、
を備え、
前記飲料用袋体は、前記第１シール部材と前記導管に通された第２シール部材との間に前記飲料用袋体の前記連通孔が挟み込まれ脱着可能に装着されていることを特徴とする飲料用サーバー。
【請求項２】
請求項１に記載の飲料用サーバーにおいて、
前記飲料用袋体は、内部に含まれる空気を排出するための排気部を有することを特徴とする飲料用サーバー。
【請求項３】
請求項２に記載の飲料用サーバーにおいて、
前記排気部は、前記飲料用袋体の内部に飲料を補充するための開口部と、前記空気を排出しつつ前記開口部を閉塞可能な開閉機構を有することを特徴とする飲料用サーバー。
【考案の詳細な説明】
【技術分野】
【０００１】
本考案は、飲料用サーバーに関し、特に焼酎等に好適な飲料用サーバーに関する。
【背景技術】
【０００２】
一定量の焼酎を保存し得る焼酎サーバーは、サーバー下部のコックをひねれば簡単に焼酎が注がれるため、近年人気が高まっている（例えば、特許文献１）。
【先行技術文献】
【特許文献】
【０００３】
【特許文献１】特開２０１１−７９５５４号公報
【考案の概要】
【考案が解決しようとする課題】
【０００４】
従来の焼酎サーバーは、コックをひねって焼酎を注ぐほど焼酎サーバー内の焼酎の量が減ってしまい、空気に触れる焼酎の割合が多くなる。焼酎が長時間空気に触れると焼酎本来の風味を損なうこととなる。このような問題は、焼酎に限らず多くの飲料にも当てはまる問題である。
【０００５】
本考案は、上記事由に鑑みてなされたものであり、飲料を長時間保存しても、飲料の本来の風味を損ねにくい飲料用サーバーを提供することを目的とする。
【課題を解決するための手段】
【０００６】
本考案に係る飲料用サーバーは、第１シール部材で固定された飲料注出コックを含む収容本体と、前記収容本体に収容され、前記収容本体と連通する導管を通す連通孔が形成される飲料用袋体と、を備え、前記飲料用袋体は、前記第１シール部材と前記導管に通された第２シール部材との間に前記飲料用袋体の前記連通孔が挟み込まれ脱着可能に装着されていることを特徴とする。
【０００７】
また、本考案に係る飲料用サーバーにおいて、前記飲料用袋体は、内部に含まれる空気を排出するための排気部を有することが好ましい。
【０００８】
また、本考案に係る飲料用サーバーにおいて、前記排気部は、前記飲料用袋体の内部に飲料を補充するための開口部と、前記空気を排出しつつ前記開口部を閉塞可能な開閉機構を有することが好ましい。
【考案の効果】
【０００９】
本考案によれば、飲料の風味を損ねにくい飲料用サーバーが提供される。
【図面の簡単な説明】
【００１０】
【図１】本考案に係る実施形態において、飲料用サーバーを示す図である。
【図２】本考案に係る実施形態において、飲料用サーバーを示す断面図である。
【図３】本考案に係る実施形態において、飲料用サーバーを示す図である。
【図４】本考案に係る実施形態において、飲料用サーバーを示す図である。
【考案を実施するための形態】
【００１１】
以下に、本考案に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１２】
図１は、本考案に係る実施形態の飲料用サーバー１００の側面図である。図２は、本考案に係る実施形態の飲料用サーバー１００の断面図である。図３は、本考案に係る実施形態の飲料用サーバー１００の側面図である。図４は、本考案に係る実施形態において、飲料用サーバー１００の側面図である。
【００１３】
飲料用サーバー１００は、飲料用サーバー１００に収容されている飲料を注出して、飲むことができる飲料用サーバーである。飲料用サーバー１００は、例えば、アルコール飲料用サーバーであり得、焼酎サーバーであり得る。飲料は、例えば、アルコールであり得、焼酎であり得る。
【００１４】
飲料用サーバー１００は、シール部材で固定された飲料注出コック１１を含む収容本体１０と、収容本体１０に収容され、収容本体１０と連通する導管１１ｃを通す連通孔が形成される飲料用袋体２０とを含む。
【００１５】
飲料用袋体２０側（収容本体１０の内部）に伸びる導管１１ｃと飲料用袋体２０に形成された連通孔とは連通しており、飲料注出コック１１に含まれるコック１１ａを開ければ、飲料用袋体２０に収容されている飲料が注出される。
【００１６】
飲料注出コック１１は、パッキン１１ｂを含むシール部材により収容本体１０に固定されている。
【００１７】
連通孔は導管１１ｃが通り抜けられるほどの孔であり、その連通孔に導管１１ｃを通し、導管１１ｃにパッキン１１ｄを含むシール部材をはめて、パッキン１１ｂとパッキン１１ｄとで飲料用袋体２０の一部を挟み込む。このようにして、飲料用袋体２０を収容本体１０に固定するとともに、飲料用袋体２０内の飲料が収容本体１０に漏れることなく飲料注出コック１１から注出され得る。
【００１８】
図１に示すように、飲料用サーバー１００は、台座３０を含んでもよく、台座３０の上に収容本体１０が置かれ得る。台座３０は、木製であり得る。台座３０の高さは、例えば３０ｃｍであり得る。
【００１９】
図３に示すように、収容本体１０の上方に蓋１０ａをかぶせて、収容本体１０の内部に空気やゴミが入らないようにしてもよい。
【００２０】
収容本体１０および蓋１０ａは、例えば陶器製であり得る。収容本体１０の大きさは特に限定されず、収容される飲料の量にも依存するが、例えば、幅１００〜２００ｍｍ、奥行き１００〜２００ｍｍ、高さ１５０〜３００ｍｍであり得る。収容本体１０の容量も特に限定されず、収容される飲料の量にも依存するが、例えば０．５〜５Ｌであり得る。
【００２１】
蓋１０ａの大きさは、収容本体１０の上部の開口部分の大きさにも依存するが、収容本体１０の上部の開口部分全てを覆うことができる大きさが好ましい。
【００２２】
飲料用袋体２０は、飲料を収容するための袋であり、例えば、柔軟性のあるプラスチックバッグなどである。飲料用袋体２０の大きさは特に限定されず、収容される飲料の量などにも依存するが、例えば、縦１２０ｍｍ〜３００ｍｍ、横１７０ｍｍ〜３００ｍｍ、厚さ０．０５ｍｍ〜０．１０ｍｍであり得る。飲料用袋体２０の材質は、例えば液体を収容しても漏れにくいポリエチレンであり得る。飲料用袋体２０は、例えばジップロック（登録商標）であり得る。
【００２３】
飲料用袋体２０は、収容本体１０に脱着可能であり、別の飲料用袋体２０を収容本体１０に取り付けて、別の飲料を提供することもできる。
【００２４】
飲料用袋体２０は、上方に排気部２０ａを有し、飲料用袋体２０内部に含まれる空気を排出する。さらに、排気部２０ａは、飲料用袋体２０の内部に飲料を補充するための開口部２０ｂを有してもよい。
【００２５】
図１および図２に示す飲料用サーバー１００では、排気部２０ａが開口部２０ｂとしての機能も兼ね備え、排気部２０ａにより、飲料用袋体２０内部に含まれる空気を排出しつつ、飲料用袋体２０の内部に飲料を補充することもできる。
【００２６】
図４に示すように、排気部２０ａに開口部２０ｂを設けてもよい。例えば、開口部２０ｂにチューブなどを差して飲料用袋体２０に当該チューブを介して飲料を補充し得る。
【００２７】
排気部２０ａは、空気を排出しつつ開口部２０ｂを閉塞可能な開閉機構２０ｃを有してもよい。開閉機構２０ｃは、例えば、ジッパーであり得、ジッパーは、スライダー付きジッパーであり得る。
【００２８】
排気部２０ａおよび開口部２０ｂの長さはそれぞれ飲料用袋体２０の大きさに依存するが、例えば１０〜３００ｍｍであり得る。
【００２９】
続いて、飲料用サーバー１００の作用について説明する。飲料用サーバー１００では、飲料が飲料用袋体２０に収容される。飲料用袋体２０の排気部２０ａの開閉によって、飲料用袋体２０内に含まれる空気を排出したり、飲料用袋体２０内に空気が入らないようにしたりできるので、飲料を飲料用袋体２０に収容すれば中の飲料が空気に触れにくくなる。このため、飲料が空気に触れることにより飲料の風味が劣化するのを防ぎ得る。
【００３０】
さらに、開閉機構２０ｃを排気部２０ａに設けることにより、飲料用袋体２０の開閉が容易になるとともに、開閉機構２０ｃを閉じた場合の飲料用袋体２０の密封性が高く、飲料用袋体２０内に空気が入りにくくなる。さらに、飲料用袋体２０の密封性が高ければ飲料用袋体２０内の飲料が漏れにくくなるという利点がある。
【００３１】
さらに、飲料用袋体２０内の飲料の量が減って飲料用袋体２０内に空気が溜まってきた場合、飲料に当該空気が触れるのを避けるために、開閉機構２０ｃにより排気部２０ａを開けて当該空気を飲料用袋体２０から排出させることが容易にできるという効果がある。
【００３２】
排気部２０ａに開口部２０ｂを設けることで、その開口部２０ｂだけ開ければ飲料用袋体２０に飲料を補充することができるため、飲料を飲料用袋体２０に補充する際、飲料用袋体２０に空気が入りにくくなるという利点がある。
【符号の説明】
【００３３】
１０  収容本体、１０ａ  蓋、１１  飲料注出コック、１１ａ  コック、１１ｂ，１１ｄ  パッキン、１１ｃ  導管、２０  飲料用袋体、２０ａ  排気部、２０ｂ  開口部、２０ｃ  開閉機構、３０  台座、１００  飲料用サーバー。
【図１】
0003225196.tif 000003
【図２】
0003225196.tif 000004
【図３】
0003225196.tif 000005
【図４】
0003225196.tif 000006